(57)【要約】【課題】  遊技中の演出効果を高めると共に、部品、装置等の交換、修理作業、およびリサイクルを容易に行うことができる遊技機を提供する。【解決手段】  スロットマシンとパチンコ機とに共通して使用可能な遊技機の枠体を、前枠と内枠と外枠とで構成する。内枠にスロットマシン用の遊技ユニット５を収納する。遊技ユニット５の前面には、スロットマシンの遊技内容に応じた演出画像を表示する演出表示装置５９ａと、複数種の図柄を回胴ベルトの表面に有し、前枠に設けられたスタートレバーの操作に基づいて回動表示動作を開始する複数の回胴ユニット６０ａ、６０ｂ、６０ｃとを配設させる。そして、演出表示装置５９ａを回胴ユニット６０ａ、６０ｂ、６０ｃの上側に配置させる。【選択図】    図６
2005168656.tif 000002
【特許請求の範囲】
【請求項１】
枠体が、前枠と、内枠と、外枠とで構成され、前記前枠と内枠がそれぞれ前記外枠に対して同じ方向へ片開き可能に取り付けられており、前記内枠にはスロットマシン用の遊技ユニットが収納されている遊技機において、
前記遊技ユニットの前面には、
スロットマシンの遊技内容に応じた演出画像が表示される演出表示装置と、
複数種の図柄を回胴ベルトの表面に有し、前記前枠に設けられた遊技の開始を指示するスタートレバーの操作に基づいて回動表示動作を開始する複数の回胴ユニットが設けられ、
前記演出表示装置は前記回胴ユニットの上側に配設されていることを特徴とする遊技機。
【発明の詳細な説明】
【技術分野】
【０００１】
本発明は、遊技機の枠内に収納されるスロットマシン用の遊技ユニットに関するものである。
【背景技術】
【０００２】
従来の遊技機としては、遊技球を遊技媒体として使用し、遊技盤上に形成された遊技領域に遊技球を流下させて遊技を行うパチンコ機や、同じくパチンコ機の遊技球を遊技媒体として使用し、複数の表示部にそれぞれ複数種類の図柄を変動表示させ、その停止図柄の組合せに応じて遊技を行うスロットマシン等が知られている。そして、パチンコ機とスロットマシンとに共通に使用できる遊技機枠を備え、パチンコ機用の遊技盤、皿装置、および球発射装置と、スロットマシン用の遊技盤、皿装置、および球取込装置とを交換することで、パチンコ機としてもスロットマシンとしても構成することができる遊技機枠が知られている（特許文献１）。
【０００３】
【特許文献１】特開２００２−１９１８１６号公報
【発明の開示】
【発明が解決しようとする課題】
【０００４】
しかしながら、特許文献１の発明では、図柄の描かれた遊技盤に、図柄の組合せ遊技が開始される図柄表示装置と、遊技者に伝えるべき遊技状況を発光や文字等によって表示する図柄当りライン表示部、球取込数表示部、賭数表示部、当り発生確率表示部から構成される遊技情報表示部とが備えられているものの、図柄の組合せ遊技とは別に遊技の映像による演出表示を行う演出表示装置、例えば、液晶表示装置は備えられておらず、遊技者の興趣を高める演出効果としては不十分であった。また、遊技盤に対する図柄表示装置、遊技情報表示装置等の取り付け構造については記載されておらず、これらの交換、修理作業等を含むメンテナンス面、およびリサイクルの容易性が保証されていなかった。
【０００５】
そこで、本発明は、このような事情に鑑みてなされたものであり、遊技中の演出効果を十分に高めることができると共に、部品、装置等の交換、修理作業、およびリサイクルを容易に行うことができる遊技機の提供を目的とするものである。
【課題を解決するための手段】
【０００６】
上記課題を解決するために、請求項１に係る遊技機の発明は、枠体が、前枠と、内枠と、外枠とで構成され、前記前枠と内枠がそれぞれ前記外枠に対して同じ方向へ片開き可能に取り付けられており、前記内枠にはスロットマシン用の遊技ユニットが収納されている遊技機において、前記遊技ユニットの前面には、スロットマシンの遊技内容に応じた演出画像が表示される演出表示装置と、複数種の図柄を回胴ベルトの表面に有し、前記前枠に設けられた遊技の開始を指示するスタートレバーの操作に基づいて回動表示動作を開始する複数の回胴ユニットが設けられ、前記演出表示装置は前記回胴ユニットの上側に配設されていることを特徴とするものである。
【発明の効果】
【０００７】
本発明に係る請求項１の遊技機によれば、遊技内容に応じた演出画像を回胴ユニットの上側に配設された演出表示装置に表示することにより演出効果を高めることができる。また、遊技ユニットに演出表示装置と、回胴ユニットを配設した構成を有することにより、これらの装置等をまとめて取り外しできるため交換作業や修理作業の効率化を図ることができる。また、リサイクルにも有効である。
【発明を実施するための最良の形態】
【０００８】
以下、本発明に係る遊技機の実施の形態を添付図面に基づいて説明する。
図１は、本発明に係る遊技機の一形態であるスロットマシンの分解斜視図である。図１に示すように、スロットマシン１の枠体は、外枠２と、内枠３と、前枠４と遊技ユニット５とから概略構成されている。内枠３は、図２および図３に示すように、外枠２に取り付けられている。前枠４は、図２に示すように、外枠２および内枠３に対して片開き可能に取り付けられる。また、内枠３に形成された収納部には、図２および図３に示すように、遊技ユニット５が収納され、固定部材によって固定される。
【０００９】
外枠２は、いわゆるパチンコホールの島等の遊技機設置設備に設置される枠であり、従来のいわゆるパチンコ遊技機の外枠と同じ形状を有するものである。従って、図１に示す内枠３と、前枠４も、他の遊技機であるパチンコ機の各枠体として共通に使用可能な構造にすることで、遊技ユニット５をパチンコ機用の遊技盤ユニットに交換することにより、１組の枠体でパチンコ遊技をも行うことが可能である。以下、本発明でいう遊技機とは、スロットマシン１のことを指すが、上記のように一台の遊技機によって、遊技ユニットを交換するだけで、即ち、スロットマシン用の遊技ユニットを使用するか、あるいはパチンコ機用の遊技ユニットを使用するかで、スロットマシンの遊技、あるいはパチンコ機の遊技を行うことができる遊技機であってもよい。
【００１０】
内枠３は、上ヒンジ６、７と下ヒンジ９、１０を介して外枠２に対して前枠４と同じ方向へ片開き可能に取り付けられている。上ヒンジ６、７は、外枠２の左上隅部に設けられた図示を省略する孔と、内枠３の左上隅部に設けられた軸８によって構成されている。また、下ヒンジ９、１０は、外枠２の左下隅部に設けられた図示を省略する孔と、内枠３の左下隅部に設けられた図示を省略する軸によって構成されている。
また、前枠４を内枠３に取り付けるための上ヒンジ１１、１２は、内枠３の左上隅部に設けられた孔１３と、前枠４の左上隅部に設けられた図示を省略する軸によって構成されている。そして、下ヒンジ１４、１５は、内枠３の左下隅部に設けられた孔１６と、前枠４の左下隅部に設けられた図示を省略する軸によって構成されている。
【００１１】
前枠４の下部には皿装置１７が設けられ、上部には前面装飾部１８が設けられている。前面装飾部１８には、その中央部に開口部１９が設けられ、開口部１９には、着脱可能に取り付けられた桟２０によって区画される上部開口部２１と下部開口部２２が設けられている。開口部１９の両側にはサイドランプ２３が設けられ、開口部１９の上部にはトップランプ２４が設けられている。また、トップランプ２４を挟むように左右両側にスピーカ２５が設けられている。そして、内枠３の前面側の右側部中央には錠穴２６が設けられ、この錠穴２６に図示を省略する鍵を指し込んで左に回動させることにより前枠４と内枠３との間のロックが解除されて、前枠４がヒンジ１１、１２、１４、１５を支点として片開き可能な状態になる。また、錠穴２６に指し込んだ鍵を右に回動させることにより内枠３と外枠２との間のロックが解除されて、内枠３がヒンジ６、７、９、１０を支点として前枠４と共に片開き可能な状態になる。
【００１２】
皿装置１７は、前枠１７の前面装飾部１８よりも前方に突出した形態に形成されている。皿装置１７の遊技球収納部２７は、上部側が開放した形態に形成されており、仕切部３０を介して左側には、図示を省略する球貸機の球排出ノズルから排出される貸球を受ける第１の収納部２８が形成され、右側には球取込装置３１に供給される遊技球を収納するための第２の収納部２９が形成されている。第１の収納部２８と第２の収納部２９とは、内枠３に設けられた球一時貯留部３２を介して互いに連結されている。また、第２の収納部２９は球誘導路によって球取込装置３１に連結されている。これらの収納部２８、２９内の遊技球は、第２の収納部２９から球誘導路を介して球取込装置３１に供給される。球取込装置３１は前枠４の裏面に取り付けられている。
【００１３】
皿装置１７の前面側には、遊技開始の指示手段としてのスタートレバー３３と、スタートレバー３３からの遊技開始信号によって開始された複数の回動リールの回転をそれぞれ停止させ、図柄を停止表示させる図柄停止ボタン３４、３５、３６が設けられている。回動リールについては後述するが、図柄停止ボタンは回動リールと同じ数だけ設けられており、各図柄停止ボタンを操作すると、例えば、押し操作するとそれぞれの図柄停止ボタンに対応する回動リールが停止する。
【００１４】
皿装置１７の前面側で図柄停止ボタン３４、３５、３６の下部には、遊技球の貸出しに球貸カードユニットを使用する場合、遊技球を貸出すために操作する貸球ボタン３７、球貸カードユニットに挿入したカードを返却させるためのカード返却ボタン３８、カードの有価価値を表示する表示器３９が設けられている。さらにこれらの下部には、第２の収納部２９に貯留されている遊技球を外部に排出させるための球排出ボタン４０が設けられている。また、本遊技機は遊技ユニット５をパチンコ機用の遊技盤ユニットに交換することでパチンコ機としても遊技できるものであり、皿装置１７の図柄停止ボタン３４、３５、３６から見て右側部壁面には、本遊技機をパチンコ機として使用する場合に用いられる遊技球発射操作部としての球発射用ハンドル４１が設けられている。
【００１５】
皿装置１７の上面には、遊技媒体として遊技球の賭け数のうち最大賭球数（ＭＡＸＢＥＴ）を設定するＭＡＸＢＥＴボタン４２、ＭＡＸＢＥＴよりも小さい賭球数を設定する１ＢＥＴボタン４３、賭球数の設定を取り消すキャンセルボタン４４、遊技者が獲得あるいは投入した遊技球のうち第２の収納部２９から球取込装置３１にかけて設けられた球誘導路内の遊技球を清算して回収するための球抜きボタン４５が設けられている。尚、１ＢＥＴボタン４３は、スタートレバー３３の操作によるゲーム開始前に設定するものであり、１回目の設定で１ＢＥＴの設定、２回目の設定で２ＢＥＴの設定、３回目の設定で３ＢＥＴの設定、即ち、ＭＡＸＢＥＴの設定が可能となる。ＭＡＸＢＥＴの設定後に１ＢＥＴあるいは２ＢＥＴに設定し直したい場合には、キャンセルボタン４４を操作することによりＭＡＸＢＥＴボタン４２の設定は初期状態にリセットされ１ＢＥＴの設定が可能となる。
【００１６】
また、このスロットマシンにおける１ＢＥＴ当りの賭球数は、原則的には５個に設定してあり、２ＢＥＴで１０個、３ＢＥＴ、即ち、ＭＡＸＢＥＴで１５個の遊技球を１度の遊技において賭けることになる。この賭球数の設定によって、メダルを使用するスロットマシンと同等の金額投入による遊技を可能にしている。従って、第２の収納部２９から遊技球を取り込む球取込装置３１としては、例えば、遊技球を順次１個ずつ取り込むことができるスプロケットと、取り込んだ遊技球を検出する光透過型センサ等のセンサを有し、センサで球取込数を検出してこの検出信号を後述する主制御基板内のカウンタ等で４個計数する毎にスプロケットを停止するような構成を備えたものを使用するればよい。尚、計数した遊技球は回収装置へ送られて回収される。
【００１７】
内枠３は、その前面側に遊技ユニット５を収納するための遊技ユニット収納部５０を有している。また、内枠３の下部には、スピーカ５１、球一時貯留部３２等の遊技部品が取り付けられ、さらに前枠４に取り付けられた球取込装置３１を収納するための収納孔５２が形成されている。
【００１８】
遊技ユニット５は、内枠３の左右上部に設けられた位置決め部材５３ａと遊技ユニット５の左右上部に設けられた位置決め部材５３ｂ、および内枠３の左右下部に設けられた位置決め部材５４ａと遊技ユニット５の底部に設けられた図示を省略する位置決め部材によって所定の位置に位置決めされて遊技ユニット収納部５０に収納される。即ち、内枠３の左右下部に設けられた内枠３に対して前後方向に延びる凸状部５４ａを遊技ユニット５の底部に設けられた図示を省略する凹状部に嵌合させて遊技ユニット５を内枠３の遊技ユニット収納部５０へ収納させると共に、内枠３の左右上部に設けられた凸状部５３ａを遊技ユニット５の左右上部に設けられた位置決孔５３ｂに挿入させる。
【００１９】
収納された遊技ユニット５は、遊技ユニット５の上面に設けられた係合部５５ａに内枠３の左右上部に設けられた係合フック５５ｂを回動させて係合させることにより係止される。そして、前枠４を閉じたとき、遊技ユニット５は、閉じられた前枠４により前面側から押圧されることによって固定される。遊技ユニット５の前面は、前枠４を閉じたときに前枠４の開口部１９を介して遊技者に見えるようになっている。このような構成により、遊技ユニット５の交換、修理作業が容易であると共に、リサイクル利用も容易である。
【００２０】
遊技ユニット５の構造を図４から図１２に示す。遊技ユニット５は、遊技盤パネル（デザインパネル）５６と、このデザインパネル５６が取り付けられるデザインパネル取付枠５７と、デザインパネル取付枠５７によって表面側が覆われ、演出表示ユニット５９、複数の回胴ユニット６０、例えば、この形態では３個の回胴ユニット６０ａ、６０ｂ、６０ｃを内部に収納し、さらには裏面側に遊技内容を制御するための主制御基板６１、演出表示を制御するための演出制御基板６２が取り付けられている取付枠５８とで構成されている。また、取付枠５８には、上述した内枠３に設けられた係合フック５５ｂを係合させる係合部５５ａが設けられている。
【００２１】
デザインパネル５６は、塗料等でスロットマシンの特徴となる図柄等が描かれたパネルであり、表面には透視性の保護用パネルが貼り付けられている。また、デザインパネル５６には、演出ユニット５９に取り付けられた演出表示装置５９ａ用の窓６３と、回胴ユニット６０用の窓６４が設けられている。演出表示装置５９ａに表示される画像等と、回胴ユニット６０の各回胴リールに表示されている図柄は、この窓６３、６４を介して遊技者に見えるようになっている。
【００２２】
デザインパネル取付枠５７は、取付枠５８にヒンジ６５を介して取り付けられており、取付枠５８に対して前枠４と同方向に片開き可能な構造を有している。デザインパネル取付枠５７と取付枠５８には、一対の吸着用磁石６６ａ、６６ｂが設けられており、この吸着用磁石６６ａ、６６ｂの吸着した状態によりデザインパネル取付枠５７が取付枠５８に対して閉じた状態となる。また、吸着用磁石６６ａ、６６ｂの吸着状態を解除するためのつまみ６７がデザインパネル取付枠５７に設けられており、このつまみ６７を手前側に引くことによりデザインパネル取付枠５７を取付枠５８に対して開いた状態とすることができる。
【００２３】
また、デザインパネル取付枠５７の裏側には、ランプ基板６８ａ、６８ｂが取り付けられており、デザインパネル取付枠５７に形成された開口部、およびデザインパネル５６に設けられた窓を介して、ランプ基板６８ａ、６８ｂに配設された各種ランプが遊技者に見えるようになっている。遊技者から見てデザインパネル５６の右側には、上からボーナスゲームの発生を告知する告知ランプ６９、リプレイ表示ランプ７０、投入可能ランプ７１の順に配置されている。また、デザインパネル５６の下側には、右から取込球数を表示する表示器、即ち、賭数表示器７２、クレジット球数を表示するクレジット表示器７３、ボーナスゲームのゲーム回数または残ゲーム回数を表示する表示器７４、賞数（ＰＡＹＯＵＴ）表示器７５、１ＢＥＴランプ７６、２ＢＥＴランプ７７、３ＢＥＴランプ７８、スタートランプ７９の順に配置されている。
【００２４】
演出表示ユニット５９は、演出表示装置としての、例えば、液晶表示器５９ａ、回胴ユニット６０ａ、６０ｂ、６０ｃを照射するための照明器８０、および液晶表示器５９ａと照明器８０を取り付けるための取付枠５９ｂから構成されている。演出表示ユニット５９は、取付枠５９ｂに設けられた取付部材、例えば、パンチホック状の止め具８１を介して遊技ユニット５の前側から取付枠５８に取り付けられる。即ち、取付枠５８に設けられた凸状部８２に、演出表示ユニット５９の取付枠５９ｂに設けられた凹状部８３を挿入し、凸状部８２に形成された止め具受け孔８２ａに止め具８１を押し込むことによって取付・固定されるようになっている。液晶表示器５９ａを含む演出遊技ユニット５９は、内枠３に固定される遊技ユニット５の取付枠５８に取り付けられるため、重量の大きい液晶表示器５９ａを安定させることができ、振動による破損、あるいはデザインパネル取付枠５７の開閉動作を要因とする破損等を防止することができる。
【００２５】
また、演出表示装置としての液晶表示器５９ａは、液晶表示器５９ａに設けられた取付部１００を介して取付枠５９ｂの取付部１０１に、例えば、ネジ止めによって取り付けられている。そして、液晶表示器５９ａは、取付枠５９ｂを遊技ユニット５の取付枠５８に取り付けたままの状態で、デザインパネル取付枠５７を開状態にさせて、スロットマシン１の前側から取り外しおよび装着することができる。従って、液晶表示器５９ａを故障等の原因により交換する場合に、その交換作業が容易であり、メンテナンス面において有利である。
【００２６】
照明器８０は、演出表示ユニット５９の下部にスロットマシンの前面から見て左右方向へ延びるように配置されており、棒状の蛍光管８０ａ（例えば、冷陰極管光源）と、蛍光管８０ａを取り付けるための台座８０ｂと、蛍光管８０ａの前面側を覆うレンズ加工した透明カバー８０ｃから構成されている。台座８０ｂは、取付枠５９ａに設けられた係合部８０ｄによって取付枠５９ａに係止される。透明カバー８０ｃは、演出表示ユニット５９に取り付けられている。演出表示ユニット５９は回胴ユニット６０ａ、６０ｂ、６０ｃの上側に配設されており、蛍光管８０ａによって回胴ユニット６０ａ、６０ｂ、６０ｃを上側から照射する構成を有している。レンズ加工した透明カバー８０ｃにより効率よく回胴ユニット６０ａ、６０ｂ、６０ｃを照射することができる。
【００２７】
また、照射器８０は、取付枠５９ｂを遊技ユニット５の取付枠５８に取り付けたままの状態で、デザインパネル取付枠５７を開状態にさせて、スロットマシン１の前側から取り外しおよび装着することができる。従って、照射器８０を寿命等の原因により交換する場合に、その交換作業が容易であり、メンテナンス面において有利である。また、デザインパネル取付枠５７には、液晶表示器５９ａ側への照明器８０から光の漏れを防止するために仕切り板が形成されており、デザインパネル取付枠５７を閉状態にしたときに仕切り板が液晶表示器５９ａを覆うように配置され、照明器８０からの光を遮断し、画像表示の鮮明さを確保している
【００２８】
回胴ユニット６０ａ、６０ｂ、６０ｃは、それぞれ図１１に示すように、リール取付枠８４と、リール取付枠８４に取り付けられた回胴リール８５、８５と、回胴リール８５に取り付けられる回胴ベルト８６と、回胴ベルト８６の外側の表面に貼り付けられる複数種類の図柄が描かれた表示シール８７から構成されている。
【００２９】
各回胴ユニット６０ａ、６０ｂ、６０ｃは、それぞれのリール取付枠８４に設けられた取付部材、例えば、パンチホック状の止め具８８、８８を介して遊技ユニット５の前側から取付枠５８に取り付けられる。即ち、取付枠５８に設けられた止め具受け孔８９に止め具８８を押し込むことによって取付・固定されるようになっている。回胴ユニット６０ａ、６０ｂ、６０ｃは、遊技ユニット５を構成する取付枠８５に取り付けられたとき、演出表示ユニット５９の下側、即ち、演出表示装置としての液晶表示器５９ａの下側に配置されている。
【００３０】
そして、演出表示ユニット５９および回胴ユニット６０ａ、６０ｂ、６０ｃは、図９および図１２に示すように、遊技ユニット５を内枠３に取り付けたままの状態で、前枠４とデザインパネル取付枠５７を開状態にさせて、スロットマシン１の前側からそれぞれ個別に取り外しおよび装着することができる構造を有している。これにより演出表示ユニット５９および各回胴ユニット６０ａ、６０ｂ、６０ｃの交換、修理作業が容易であると共に、リサイクル利用も容易である。
【００３１】
主制御基板６１は、遊技ユニット５の前面斜視図（図４）と裏面斜視図（図８）と演出表示ユニット５９および回胴ユニット６０ａ、６０ｂ、６０ｃの取付状態を示す図９とから示されるように、遊技ユニット５の背部、具体的には、取付枠８５の裏面であって、取付枠８５に収納されている回胴ユニット６０ａ、６０ｂ、６０ｃの裏側に取り付けられている。主制御基板６１は、取付部材、例えば、パンチホック状の止め具９０を介して遊技ユニット５の裏側から取付枠５８に取り付けられる。即ち、取付枠５８に設けられた凸状部９１に、主制御基板６１に設けられた凹状部９２を挿入し、凸状部９１に形成された止め具受け孔９１ａに止め具９０を押し込むことによって取付・固定されるようになっている。このような構成により、主制御基板６１の交換、修理作業が容易であると共に、リサイクル利用も容易である。
【００３２】
主制御基板６１は、スロットマシン１の遊技内容を制御する基板であり、例えば、前枠４に設けられた図柄変動開始手段であるスタートレバー３３が操作されると、スタートレバー３３からその操作されたことを表わす信号を受け、回胴ユニット６０ａ、６０ｂ、６０ｃの各回胴リール８５に回動を開始させる制御を行うと共に、各回胴ユニット６０ａ、６０ｂ、６０ｃに停止表示させる図柄の乱数抽選を行う。また、主制御基板６１は、前枠４に設けられた図柄変動停止手段である図柄停止ボタン３４、３５、３６が操作されると、図柄停止ボタン３４、３５、３６からその操作されたことを表わす信号を受け、操作された図柄停止ボタンに対応する回胴リールの回動を停止する制御を行う。さらにこのとき、図柄停止ボタンの操作されたタイミングが、回動している図柄の中の上記抽選された図柄と同じ図柄が停止図柄の表示される位置から所定の範囲内のズレである場合、例えば、図柄停止ボタンが操作されたときに、抽選された図柄と同じ図柄が、図柄の回動方向に対して停止図柄の表示される位置の手前４図柄以内に存在すれば、上記抽選された図柄と同じ図柄を強制的に停止図柄が表示される位置に停止表示させる、いわゆる引き込み制御を行うこともできる。
【００３３】
主制御基板６１と回胴ユニット６０との電気接続は、複数の配線コードを有するコネクタによって接続されている。主制御基板６１を取付枠８５の裏面であって取付枠８５に収納されている回胴ユニット６０ａ、６０ｂ、６０ｃの裏側に取り付けることによって、回胴ユニット６０とのコネクタ脱着作業を容易に行うことができる。
【００３４】
演出制御基板６２は、遊技ユニット５の前面斜視図（図４）と裏面斜視図（図８）と演出表示ユニット５９および回胴ユニット６０ａ、６０ｂ、６０ｃの取付状態を示す図９とから示されるように、遊技ユニット５の背部、具体的には、取付枠８５の裏側面であって、取付枠８５に収納されている回胴ユニット６０ａ、６０ｂ、６０ｃの遊技ユニット５の裏側から見て右側に取り付けられている。演出制御基板６２は、演出制御基板取付レール９４、９４を介して取付枠５８に取り付けられており、向かい合って取付枠５８に取り付けられた演出制御基板取付レール９４、９４間に、遊技ユニット５の裏側から表側方向へスライド挿入されている。
【００３５】
演出制御基板取付レール９４、９４間に挿入された演出制御基板６２は、取付部材、例えば、パンチホック状の止め具９５、９５によって演出制御基板取付レール９４、９４に取り付けられている。即ち、演出制御基板取付レール９４、９４に形成された止め具受け孔９６、９６に止め具９５、９５を押し込むことによって取付・固定されるようになっている。そして、また止め具９５、９５を止め具受け孔９６、９６から抜き出すことによって、演出制御基板６２を演出制御基板取付レール９４、９４から、即ち、取付枠５８から取り外すことができる。このような構成により、演出制御基板６２の交換、修理作業が容易であると共に、リサイクル利用も容易である。
【００３６】
演出制御基板６２は、前枠４に配設されたランプ２３、２４の表示制御、スピーカ２５、５１の音声制御、演出表示装置としての液晶表示器５９ａに演出画像を表示制御する基板であり、スロットマシン１の遊技内容に応じて各種の演出画像を表示制御している。例えば、多くの遊技球を獲得できる確率が高い遊技状態、いわゆるビックボーナス（ＢＢ）状態、あるいはレギュラーボーナス（ＲＢ）状態の発生時に、ＢＢ状態あるいはＲＢ状態が発生していることを液晶表示器５９にそれぞれ相違する画像、文字等を表示して遊技者に報知し、遊技意欲を高めている。また、非遊技時には、キャラクタ画像を表示することによる、いわゆるデモ画像を演出表示したり、あるいはそのスロットマシンのＢＢ、ＲＢの発生履歴等の情報を表示することによりスロットマシンの稼動頻度を高めている。
【００３７】
演出制御基板６２と演出表示装置との電気接続は、複数の配線コードを有するコネクタによって接続されている。演出制御基板６２を取付枠８５の裏側面であって取付枠８５に収納されている回胴ユニット６０ａ、６０ｂ、６０ｃの遊技ユニット５の裏側から見て右側に取り付けることによって、演出表示装置とのコネクタ脱着作業を容易に行うことができる。
【図面の簡単な説明】
【００３８】
【図１】本発明に係る遊技機の一形態であるスロットマシンの分解斜視図である。
【図２】図１に示すスロットマシンの、遊技ユニットを内枠から取り外した状態を表わす図である。
【図３】図１に示すスロットマシンの、遊技ユニットを内枠に取り付けた状態を表わす図である。
【図４】図１に示すスロットマシンの、遊技ユニットの斜視図である。
【図５】図４の遊技ユニットに取り付けられるデザインパネルを表わす図である。
【図６】図４に示す遊技ユニットのデザインパネル取付枠が開いた状態を表わす図である。
【図７】図４に示す遊技ユニットを内枠に取り付けた状態でデザインパネル取付枠を開放させた図である。
【図８】（ａ）は、図４に示す遊技ユニットの裏面斜視図である。  （ｂ）は、遊技ユニットから主制御基板と演出制御基板を取り外した状態を表わす図である。
【図９】図４に示す遊技ユニットから演出表示ユニットと回胴ユニットを取り外した状態を表わす図である。
【図１０】（ａ）は、図９に示す演出表示ユニットの分解斜視図である。  （ｂ）は、演出表示ユニットの裏面斜視図である。
【図１１】図９に示す回胴ユニットの分解斜視図である。
【図１２】図４に示す遊技ユニットを内枠に取り付けた状態で演出表示ユニットと回胴ユニットを取り外した図である。
【符号の説明】
【００３９】
２    外枠
３    内枠
４    前枠
５    遊技ユニット
５６  デザインパネル
５７  デザインパネル取付枠
５８  取付枠
５９  演出表示ユニット
５９ａ  演出表示装置（液晶表示器）
６０、６０ａ、６０ｂ、６０ｃ  回胴ユニット
６１  主制御基板
６２  演出制御基板
８０  照明器
【図１】
2005168656.tif 000003
【図２】
2005168656.tif 000004
【図３】
2005168656.tif 000005
【図４】
2005168656.tif 000006
【図５】
2005168656.tif 000007
【図６】
2005168656.tif 000008
【図７】
2005168656.tif 000009
【図８】
2005168656.tif 000010
【図９】
2005168656.tif 000011
【図１０】
2005168656.tif 000012
【図１１】
2005168656.tif 000013
【図１２】
2005168656.tif 000014